(57)【特許請求の範囲】
【請求項１】
底部とこの底部から対向して立ち上がった第１壁部及び第２壁部と該第１壁部及び第２壁部に挟まれた第３壁部とで三方に画成され、ケーブルの一部を収容する凹部と、
上記凹部内で底部と対向して上記第２壁部側へ突出するよう上記第１壁部に設けられた、上記ケーブルが掛けられるフック部と、
上記凹部に隣接して形成され上記フック部に掛けられたケーブル部分より延出したケーブル延長部分を載せる棚部と、を備え、
上記凹部と上記棚部とで構成され、上記フック部に掛けられたケーブル部分の位置よりさらに上記底部から離れる側にずれた位置で上記ケーブル延長部分を支持する開口縁を有し、
上記開口縁は、上記第２壁部と上記第３壁部の上縁で画成され、該上縁は上記フック部に掛けられたケーブル部分より高い位置になるよう高さが設定され、
上記フック部と上記第３壁部の上縁との間に第１の間隙が画成され、該第１の間隙に上記ケーブル延長部分を挿入して該延長部分の向きを変えることができ、
上記フック部の先端が第２壁部に接触しないよう凹部に配設されることで、上記フック部と上記第２壁部との間に上記ケーブルの脱着を規制する第２の間隙が画成され、該第２の間隙にケーブルの一部を押し込んでフック部と底部との間に該ケーブルを収容することを特徴とする、ケーブル固定構造。
【請求項２】
車両の内装部品と一体に形成されていることを特徴とする、請求項１に記載のケーブル固定構造。
【発明の詳細な説明】
【技術分野】
【０００１】
本発明は、インストルメントパネルなどの車内の内装部品にケーブルを固定する構造に関する。
【背景技術】
【０００２】
小型で携帯できる高機能の情報機器端末を車両の機器に接続する際には、ケーブルを利用して接続している。例えば図６に示すように、充電する場合には助手席トレイ１１０に載置した情報機器端末２００とモニター１２０の下側に設けられた電源供給部１３０とがケーブル５１でつながれる。また、カーオーディオに接続する場合にはセンタートレイ１４０に載置した情報機器端末２１０と助手席トレイの奥壁１１１に設けられた信号供給部１５０とがケーブル５２でつながれる。
【０００３】
車両には、インストルメントパネル１６０上の特定個所をケーブル５１，５２が辿るようにケーブルを配策する手段が設けられていないため、情報機器端末２００，２１０と車内機器との間でケーブル５１，５２が垂れ下がる虞がある。
【０００４】
そこで、ケーブルの垂れ下がりを防ぎ、ケーブル５１，５２をインストルメントパネル１６０に固定するために、以下のような固定構造が考えられる。
図７（Ａ）は、従来の第１の固定構造３１０を示す図である。第１の固定構造３１０は、パネル面から突き出た３つの突出部（以下、第１突出部３１１、第２突出部３１２、第３突出部３１３と呼ぶ。）を備えている。
【０００５】
第１突出部３１１、第２突出部３１２及び第３突出部３１３は間隔を置いて並設されており、両端の第１突出部３１１と第３突出部３１３との間に設けられた第２突出部３１２が第１突出部３１１及び第３突出部３１３に対して位置をずらして配設されている。
【０００６】
図示例では、第２突出部３１２の上面が第１突出部３１１と第３突出部３１３との各上面より高い位置に設けられている。また、ケーブル５５を配策する方向に沿って、これらの第１突出部３１１、第２突出部３１２及び第３突出部３１３が部分的に重なるよう、第２突出部３１２の下面が第１突出部３１１と第３突出部３１３との各上面より低い位置に設けられている。
【０００７】
このような第１の固定構造３１０によれば、隣り合う突出部同士の間にケーブル５５を通すと、図７（Ｂ）に示すように、ケーブル５５は第１突出部３１１と第３突出部３１３との間で第２突出部３１２によって下方へ膨出するように押し曲げられ、さらにその曲げられた部分の両端部分が第１突出部３１１と第３突出部３１３とに当たっていることで、ケーブル５５が固定される。このように、第１の固定構造３１０では、図７（Ｂ）に示すように、ケーブル５５に急な曲り部分５５Ａ，５５Ｂを２つ形成するので、強力な固定効果を得ることができる。この第１の固定構造３１０が特許文献１に開示されている。
【０００８】
図８（Ａ）は従来の第２の固定構造３２０を示す図である。第２の固定構造３２０はパネル３２１にＵ字型に穿設した開口３２２を備えている。この開口３２２は、パネル面に等しい長さで平行に設けられた第１縦穴部３２２Ａ及び第２縦穴部３２２Ｂと、第１縦穴部３２２Ａと第２縦穴部３２２Ｂとを結ぶ横穴部３２２Ｃと、から構成されている。
【０００９】
このような第２の固定構造３２０では、ケーブル５６が、パネル表面から第１縦穴部３２２Ａを経てパネル裏面へ、パネル裏面で第１縦穴部３２２Ａと第２縦穴部３２２Ｂと横穴部３２２Ｃとで囲われた部分に沿って第２縦穴部３２２Ｂへ向かい、そして第２縦穴部３２２Ｂを経てパネル表面へ引き出されている。
【００１０】
ケーブル５６には、第１縦穴部３２２Ａ及第２縦穴部３２２Ｂを通ることで急な曲がり部分５６Ａ，５６Ｂが形成されている。このように、第２の固定構造３２０も、第１の固定構造３１０と同様に、ケーブル５６に急な曲り部分を２つ形成するので、強力な固定効果を得ることができる。
【００１１】
図９（Ａ）は従来の第３の固定構造３３０を示す図である。第３の固定構造３３０は、パネル面から突き出た２つの爪部（以下、第１爪部３３１、第２爪部３３２と呼ぶ。）を備え、第１爪部３３１と第２爪部３３２とは間隔を置いて上下に整列している。図９（Ｂ）に示すように、第１爪部３３１と第２爪部３３２との間にケーブル５７を入れることができるが、第１爪部３３１と第２爪部３３２との先端部同士の間隔Ｄがケーブル５７の太さよりも狭く設定されているため、ケーブル５７を外す際にはケーブル５７を強く引っ張る必要がある。
【００１２】
図１０（Ａ）は従来の第４の固定構造３４０を示す図である。第４の固定構造３４０はパネル面から突き出たフック部３４１を備えている。フック部３４１は、パネル面に固定された基部３４１Ａと、基部３４１Ａの先端から下方へ延びた縦部３４１Ｂと、縦部３４１Ｂの下端からパネル面側へ延びた横部３４１Ｃと、から構成されている。横部３４１Ｃは基部３４１Ａよりも寸法が短く選定されている。これらの基部３４１Ａと縦部３４１Ｂと横部３４１Ｃとで囲われた領域に、ケーブル５８を入れることで、フック部３４１にケーブル５８を引っ掛けて保持することができる。
【先行技術文献】
【特許文献】
【００１３】
【特許文献１】特開平９−２６６３８６号公報
【発明の概要】
【発明が解決しようとする課題】
【００１４】
第１の固定構造３１０では強力な固定効果を得ることができるが、例えば第１の固定構造３１０と情報機器端末との間のケーブル５５の長さを調節するために固定構造３１０で固定されたケーブル５５を軸方向に移動させることは、ケーブル５５に急な曲り部分があるため容易ではない。また、図７（Ｃ）に示すように、ケーブル５５の方向を変えると、ケーブル５５が第１突出部３１１から外れてしまうので、固定することができない。第２の固定構造３２０も、第１の固定構造３１０と同様に軸方向への移動が容易ではない。
【００１５】
第３の固定構造３３０によれば、ケーブル５７の方向を変えることができるが、曲げる力が強いとケーブル５７が第３の固定構造３３０から外れてしまう。
【００１６】
第４の固定構造３４０は、単にケーブル５８を引っ掛けているだけであるから、前述の第１の固定構造３１０等に比べて固定力自体が弱い。
【００１７】
そこで、本発明は、ケーブルを確実に固定し得ると共に、ケーブルの軸方向の移動、ケーブルの方向調整が容易なケーブル固定構造を提供することを目的とする。
【課題を解決するための手段】
【００１８】
上記目的を達成するために、本発明のケーブル固定構造は、
底部とこの底部から対向して立ち上がった第１壁部及び第２壁部と該第１壁部及び第２壁部に挟まれた第３壁部とで三方に画成され、ケーブルの一部を収容する凹部と、
上記凹部内で底部と対向して上記第２壁部側へ突出するよう上記第１壁部に設けられた、上記ケーブルが掛けられるフック部と、
上記凹部に隣接して形成され上記フック部に掛けられたケーブル部分より延出したケーブル延長部分を載せる棚部と、を備え、
上記凹部と上記棚部とで構成され、上記フック部に掛けられたケーブル部分の位置よりさらに上記底部から離れる側にずれた位置で上記ケーブル延長部分を支持する開口縁を有し、
上記開口縁は、上記第２壁部と上記第３壁部の上縁で画成され、該上縁は上記フック部に掛けられたケーブル部分より高い位置になるよう高さが設定され、
上記フック部と上記第３壁部の上縁との間に第１の間隙が画成され、該第１の間隙に上記ケーブル延長部分を挿入して該延長部分の向きを変えることができ、
上記フック部の先端が第２壁部に接触しないよう凹部に配設されることで、上記フック部と上記第２壁部との間に上記ケーブルの脱着を規制する第２の間隙が画成され、該第２の間隙にケーブルの一部を押し込んでフック部と底部との間に該ケーブルを収容することを特徴としている。本発明のケーブル固定構造は、例えばインストルメントパネルなどの車両の内装部品と一体に形成されている。
【発明の効果】
【００１９】
本発明によれば、ケーブルを固定させることができることに加えて、容易にケーブルの長さを調節でき、さらにケーブルの向きも変えることができる。
【図面の簡単な説明】
【００２０】
【図１】本発明の実施形態に係るケーブル固定構造の斜視図である。
【図２】（Ａ）〜（Ｃ）は本発明の実施形態に係るケーブル固定構造にケーブルを固定するための手順を説明するための図である。
【図３】本発明の実施形態に係るケーブル固定構造でケーブルを固定した状態を示す斜視図である。
【図４】図２（Ｃ）のＢ−Ｂ線に沿ったケーブル固定構造の断面図である。
【図５】本発明の実施形態に係るケーブル固定構造の使用方法を説明するための図である。
【図６】従来の車両のインストルメントパネル周辺を示す図である。
【図７】（Ａ）〜（Ｃ）は従来の第１の固定構造を示す図である。
【図８】（Ａ）及び（Ｂ）は従来の第２の固定構造を示す図である。
【図９】（Ａ）及び（Ｂ）は従来の第３の固定構造を示す図である。
【図１０】（Ａ）及び（Ｂ）は従来の第４の固定構造を示す図である。
【発明を実施するための形態】
【００２１】
以下、図面に基づいて本発明の実施形態を説明する。
図１は本発明の実施形態に係るケーブル固定構造１の斜視図である。本発明の実施形態に係るケーブル固定構造１は、ケーブルの一部を収容する凹部１０と、凹部１０内に設けられてケーブルを掛けるフック部２０と、凹部１０に隣接して形成されフック部２０に掛けられたケーブル部分より先に延びたケーブル延長部分を載せる棚部３０と、から構成されている。
【００２２】
凹部１０は、長方形状の底部１１と、底部１１の一方の長い縁部１１Ａから立ち上がった第１壁部１２と、底部１１の他方の長い縁部１１Ｂから立ち上がった第２壁部１３と、底部１１の一方の短い縁部１１Ｃから立ち上がった第３壁部１４と、から構成されている。
【００２３】
第２壁部１３は第１壁部１２よりも低く形成されている。また、第２壁部１３は底部１１の縁部１１Ｂから凹部外側へ行くにつれて高くなるように傾斜して形成されている。第２壁部１３の上縁の高さは一定である。この第２壁部１３の上縁は凹部１０の開口縁の一部を構成する。
【００２４】
第３壁部１４は、第２壁部１３と同様に、底部１１の縁部１１Ｃから凹部外側へ行くにつれて高くなるように傾斜して形成されているが、第３壁部１４の上縁は、第２壁部１３の上縁と異なり、第２壁部１３側から第１壁部１２側へ行くにつれて高くなるように形成されている。この第３壁部１４の上縁も凹部１０の開口縁の一部を構成する。
【００２５】
これらの第１壁部１２と第３壁部１４とは連続した壁面を構成し、第２壁部１３と第３壁部１４も連続した壁面を構成する。
【００２６】
棚部３０は、第２壁部１３の上縁から延出した第１延出部３１と、第３壁部１４の上縁から延出した第２延出部３２と、から構成されている。第１延出部３１は第２壁部１３の上縁から外側へ行くにつれて下がるように形成されている。第２延出部３２も、第１延出部３１と同様に、第３壁部１４の上縁から外側へ行くにつれて下がるように形成されている。
【００２７】
これらの第１延出部３１と第２延出部３２とは連続した面を構成する。これにより、凹部１０の周辺領域では、第１壁部１２の上縁が最も高く、そこより低くなる第２延出部３２が第３壁部１４の上縁から延出し、また第２壁部１３の上縁からも次第に低くなる第１延出部３１が延出して、これらの第１延出部３１と第２延出部３２とが連続した傾斜面を構成する。このように構成された棚部３０と第２壁部及び第３壁部とで、底部から上方へ拡開した凹部１０の開口縁が形成される。
【００２８】
フック部２０は、底部１１の上方で第１壁部１２から第２壁部１３側へ突出するよう第１壁部１２に設けられている。フック部２０は、第１壁部１２に固定された基部２１と、基部２１の先端側に設けた爪部２２と、を有する。基部２１は凹部１０の底部１１と対向する底面２１Ａを有し、この底面２１Ａの先端側に底部１１へ向けて突出するように、爪部２２が設けられている。この爪部２２は、凹部１０内でのケーブルの延出方向、具体的には縁部１１Ａに沿って、フック部２０の幅全体に亘って形成されている。なお、図示するように、フック部２０の幅方向の延長上に第３壁部１４が設けられている。
【００２９】
フック部２０の幅Ｗは、凹部１０の底部１１の長い縁部１１Ａの長さＬよりも短く設定されている。また、フック部２０は、凹部１０の底部１１の長い縁部１１Ａに沿った長手方向の位置に関して縁部１１Ａの長さ半分に相当する中間寄りの位置で、第１壁部１２に設けられている。これにより、フック部２０と第３壁部１４及び棚部３０、特に第２延出部３２との間に第１の間隙Ｓ１が画成される。
【００３０】
フック部２０の奥行き、つまり第１壁部１２から第２壁部１３へ向けた方向の寸法は凹部１０の底部１１の短い縁部１１Ｄ，１１Ｃの寸法より小さく設定されている。これにより、フック部２０の先端が第２壁部１３に接触せずに凹部１０に配設されるため、フック部２０と第２壁部１３との間に第２の間隙Ｓ２が画成される。
【００３１】
また、フック部２０の底面２１Ａに当接したケーブル部分Ｃ１（後述の図２（Ｃ））よりも高い位置で、第３壁部１４の上縁によってケーブル延長部分Ｃ２が支持されるように、第３壁部１４の上縁、つまり開口縁の高さが決められている。また、第２壁部１３の上縁の高さも、第３壁部１４の上縁と同様に、図２（Ｃ）に示すフック部２０に当たったケーブル部分Ｃ１よりも高い位置で、第２壁部１３の上縁によってケーブル延長部分Ｃ２を支持するように、第２壁部１３の上縁も高さを選定されている。
【００３２】
このように構成されたケーブル固定構造１の使用方法について説明する。
ケーブル５０を固定するには、図２（Ａ）に示すように、ケーブル固定構造１に固定するケーブル部分Ｃ１で輪を作り、この輪を構成するケーブル５０の一部分を図２（Ｂ）に示すように、フック部２０と第２壁部１３との間に設定された第２の間隙Ｓ２に押し込む。この際、フック部２０が第１壁部１２に片持ち状に支持されているため、押し込む力によって第２の間隙Ｓ２が広がり、ケーブル５０をフック部２０と底部１１との間に入れることができる。そして、ケーブル５０の位置を調整する。具体的には、図２（Ｃ）に示すように、ケーブル５０をフック部２０に引っ掛ける。次に、図３に示すように、フック部２０に掛けられたケーブル部分Ｃ１より先に延びたケーブル延長部分Ｃ２を棚部３０に載せる。図示例では、ケーブル延長部分Ｃ２は、フック部２０の幅方向の延長線上に沿って延出しており、このフック部２０の幅方向の延長先に配設した第２延出部３２に載せられている。なお、図３では、ケーブル５０の一部だけを表示している。
【００３３】
このようにケーブル５０を部分的にフック部２０に掛けて凹部１０に収容させつつ、フック部２０に掛けられたケーブル部分Ｃ１よりも高い位置にケーブル延長部分Ｃ２が配置されるよう棚部３０にケーブル延長部分Ｃ２を載せることで、ケーブル５０自体の動きを規制するようケーブル５０の形態を変えることができる。具体的には、図４に示すように、ケーブル固定構造１にケーブルが装着されることで、ケーブル５０は、凹部１０内で底部１１の長手方向に沿って延出したケーブル５０がフック部２０によって上方に曲がる第１曲げ部（図４の円Ａで囲った部分）と、この第１曲げ部よりも延長側で第３壁部１４と棚部３０とで構成される開口縁によって棚部３０の面に沿う方向に曲がる第２曲げ部（図４の円Ｂで囲った部分）と、を有するように形状が変わる。これらの第１曲げ部と第２曲げ部とが底部１１からの高さ方向で異なる位置に設けられ、さらにケーブル５０の軸方向において異なる方向に曲がっているため、ケーブル５０を固定することができる。
【００３４】
ケーブル固定構造１において、ケーブル長さを調節するためにケーブル５０を軸方向に移動させるには、一方の曲げ部のケーブル固定構造１との接触を解除すればよい。例えば、第２曲げ部（図４の円Ｂで囲った部分）を開口縁から離れるように持ち上げれば、ケーブル５０をフック部２０に摺接させながら軸方向に移動させることができる。このようにしてケーブルの長さを調節することができる。
【００３５】
また、ケーブル固定構造１において、ケーブル５０の延出方向を変えるには、フック部２０に掛けられたケーブル部分Ｃ１より先に延びたケーブル延長部分Ｃ２を載せる棚部３０の位置を変えればよい。例えば、図５で破線によって示すように、第２延出部３２に載せられていたケーブル延長部分Ｃ２を、第２壁部１３から延出した第１延出部３１上に移すことで、ケーブル５０の延出方向を変えることができる。なお、ケーブル５０の方向を変えることができるように、ケーブル固定構造１では第１の間隙Ｓ１の大きさが選定されている。つまり、図４に示すように、フック部２０と開口縁との間のケーブル部分Ｃ３が姿勢を変えることができる程度に間隙Ｓ１の大きさが選定されている。また、フック部２０の位置よりもケーブル５０の延長側で、第３壁部１４の上縁と第２壁部の上縁とから延出した第２延出部３２と第１延出部３１とで連続した棚部３０を構成しているため、フック部２０から延長側に延びたケーブル５０を図５の破線位置から９０度方向を変えた実線の位置まで曲げることができる。また、このように、向きを変えた場合であっても、フック部２０の底面２１Ａに当接したケーブル部分Ｃ１（後述の図２（Ｃ））よりも高い位置で、ケーブル延長部分Ｃ２が第２壁部の上縁より成る開口縁によって支持される。さらに、向きを変えた後でも、開口縁によってケーブルを棚部３０の面側に曲げる第２曲げ部が形成され、この場合の第２曲げ部も第１曲げ部と高さ方向で異なる位置に設けられ、さらにケーブル５０の軸方向において異なる方向に曲がっているため、ケーブル５０を固定することができる。
【００３６】
ケーブルを外すには、フック部２０と底部１１との間に入ったケーブル部分Ｃ１を含めて輪を作り、この輪をケーブル固定構造１から引き抜く。この際、フック部２０が第１壁部１２に片持ち状に支持されているため、引き抜く力によって第２の間隙Ｓ２が広がり、ケーブル５０を外すことができる。
【００３７】
このように本発明の実施形態に係るケーブル固定構造１によれば、ケーブル５０を固定させることができることに加えて、容易にケーブル５０の長さを調節でき、さらにケーブル５０の向きも変えることができる。
【００３８】
なお、本発明のケーブル固定構造１は、例えば車両内のインストルメントパネルの意匠面に一体に構成することができる。
【００３９】
以上説明したが、本発明は発明の趣旨を逸脱しない範囲において様々な形態で実施できる。本発明のケーブル固定構造は助手席トレイやグラブボックスを構成するパネル部材と一体に構成することもできる。さらに、ドアトリム、ピラーガーニッシュ、コンソール等の車両の内壁を構成する部材にも一体に構成することができることは勿論である。
【００４０】
前述の説明では、凹部と棚部とで構成される開口縁が角部として構成される場合を説明したが、開口縁は稜線を構成しないように曲面として構成されてもよい。この場合も、フック部の底面に当接したケーブル部分（後述の図２（Ｃ））よりも高い位置で、凹部と棚部とで構成された開口縁によってケーブルが支持される。
前述の説明では、棚部が、第２壁部の上縁の全域から延出するように構成されている場合を例示したが、棚部は、少なくとも凹部内のフック部よりケーブルの延長側で凹部に隣接して設けられていればよい。
【符号の説明】
【００４１】
１        ：ケーブル固定構造
１０      ：凹部
１１      ：底部
１１Ａ〜１１Ｄ：縁部
１２      ：第１壁部
１３      ：第２壁部
１４      ：第３壁部
２０      ：フック部
２１      ：フック部の基部
２１Ａ    ：フック部の底面
２２      ：フック部の爪部
３０      ：棚部
３１      ：第１延出部
３２      ：第２延出部
５０      ：ケーブル
Ｃ１，Ｃ３：ケーブル部分
Ｃ２      ：ケーブル延長部分
Ｓ１      ：第１の間隙
Ｓ２      ：第２の間隙
【図１】
0005773314.tif 000002
【図２】
0005773314.tif 000003
【図３】
0005773314.tif 000004
【図４】
0005773314.tif 000005
【図５】
0005773314.tif 000006
【図６】
0005773314.tif 000007
【図７】
0005773314.tif 000008
【図８】
0005773314.tif 000009
【図９】
0005773314.tif 000010
【図１０】
0005773314.tif 000011